(57)【要約】【課題】従来のテーブル用折りたたみ脚のキャップは図５にあるようにテーブル脚の上からかぶせるだけの構造であり、簡単な衝撃で外れやすかった。また、一度外れると取り付ける力が弱くなり頻繁に外れるようになってしまっていた。【解決手段】図１に示したように、テーブル脚が先にいくに従い細くなっている構造を利用し、キャップに３のエラ状突起物を設けることで一度取り付けると外れることがないようにした。これによりキャップが外れて紛失することや、外れた脚が床などを傷つけるのを防止できる。【選択図】図１
0003124954.tif 000002
【実用新案登録請求の範囲】
【請求項１】
キャップに外れ止めを設けたことによって、一度取り付けると外れないことを特徴とするテーブル用折りたたみ脚のキャップ。
【請求項２】
外れ止めは、上部に設けられたエラ状の突起であることを特徴とする請求項１記載のテーブル用折りたたみ脚のキャップ。
【考案の詳細な説明】
【技術分野】
【０００１】  この考案は、テーブル等に用いるパイプ状スチール製折りたたみ脚のキャップの形状に関する。
【背景技術】
【０００２】  従来のテーブル等に用いるパイプ状スチール製折りたたみ脚のキャップの形状は、図５に示すように、テーブル用折りたたみ脚の本体２の下部にキャップ５が設けられたものである。
【考案の開示】
【考案が解決しようとする課題】
【０００３】しかしながら、以上の技術によれば、キャップが外れやすく、特にプラスティック製であることから、簡単な衝撃で破損し外れてしまうことが多かった。また、上からかぶせているだけなので少しの力で外すことができた。
そこで、この考案は、キャップが外れにくいテーブル用折りたたみ脚を提供することを課題とする。
【課題を解決するための手段】
【０００４】  以上の課題を解決するために、第一考案は、キャップに外れ止めを設けたことを特徴とするテーブル用折りたたみ脚のキャップである。
また、第二考案は、キャップに外れ止めを設け、このすべり止めは上部に設けられたエラ状の突起であることを特徴とするテーブル用折りたたみ脚のキャップである。
【考案の効果】
【０００５】  第一考案、または第二考案によれば、テーブル用折りたたみ脚のキャップに外れ止めを設けたのでキャップが外れにくい。
【考案を実施するための最良の形態】
【０００６】  この考案の一実施形態を、図１に示す。
テーブル用脚はパイプ状のスチール製であり、テーブル脚用キャップはプラスティック製である。このテーブル脚２の下部設置面にキャップが設けられる。テーブル脚２が下部に向かっていくに従い細くなっていく形状を利用し、キャップ１のエラ状突起物３でテーブル脚とキャップを接合、固定する。【０００７】「実施形態の効果」
この実施形態によれば、エラ状の突起３の働きで、一度取り付けると簡単には外れにくくなり、輸送中や使用途中での脱落、紛失などを防止できる。また、キャップ本来の目的である床接地面のフローリングやカーペットの傷つき防止効果も安定する。【０００８】「他の実施形態」
図１の実施形態では、外れ止めはエラ状の突起３であったが、他の実施形態では、外れ止めは半円球や立方体などの突起物を単数および複数設けたものでもよい。
【図面の簡単な説明】
【０００９】
【図１】テーブル用折りたたみ脚のキャップをテーブル用脚に取り付けた状態の説明図である。
【図２】テーブル用折りたたみ脚のキャップの斜視図である。
【図３】テーブル用折りたたみ脚のキャップをテーブル用折りたたみ脚に取り付ける前の状態の説明図である。
【図４】テーブルとして機能している全体の斜視図である。
【図５】従来のテーブル用折りたたみ脚のキャップをテーブル用脚に取り付けた状態の説明図である。
【図６】従来のテーブル用折りたたみ脚のキャップの斜視図である
【符号の説明】
【００１０】  １  テーブル用折りたたみ脚のキャップ本体
２  テーブル用折りたたみ脚
３  エラ状突起物
４  テーブルとして機能している状態
５  従来のテーブル用折りたたみ脚のキャップ
【図１】
0003124954.tif 000003
【図２】
0003124954.tif 000004
【図３】
0003124954.tif 000005
【図４】
0003124954.tif 000006
【図５】
0003124954.tif 000007
【図６】
0003124954.tif 000008
【手続補正書】
【提出日】平成18年3月13日(2006.3.13)
【手続補正１】
【補正対象書類名】実用新案登録請求の範囲
【補正対象項目名】全文
【補正方法】変更
【補正の内容】
【実用新案登録請求の範囲】
【請求項１】
テーブル等に用いるパイプ状スチール製折りたたみ脚の床接地面に取り付けるキャップに外れ止めを設けたことによって、一度取り付けると外れないことを特徴とするテーブル用折りたたみ脚のキャップ。
【請求項２】
外れ止めは、上部に設けられたエラ状の突起であることを特徴とする請求項１記載のテーブル用折りたたみ脚のキャップ。
【手続補正書】
【提出日】平成18年6月9日(2006.6.9)
【手続補正１】
【補正対象書類名】実用新案登録請求の範囲
【補正対象項目名】全文
【補正方法】変更
【補正の内容】
【実用新案登録請求の範囲】
【請求項１】
折りたたみテーブルの脚体に取り付けられるキャップであって、前記脚体の端部、床接地面に取り付けられるものであり、キャップ本体が脚体の嵌入部に入りこむ部分にはキャップ本体が脚体から外れることを防止する突起体を設けたことを特徴とするテーブル用折りたたみ脚のキャップ。
【請求項２】
突起体は、キャップ本体が脚体内部に入る部分に設けられたエラ状の突起体であることを特徴とする請求項１記載のテーブル用折りたたみ脚のキャップ。
【手続補正２】
【補正対象書類名】明細書
【補正対象項目名】全文
【補正方法】変更
【補正の内容】
【考案の詳細な説明】
【技術分野】
【０００１】  この考案は、テーブル等に用いるパイプ状スチール製折りたたみ脚に用いられるキャップの形状に関する。
【背景技術】
【０００２】  従来のテーブル等に用いるパイプ状スチール製折りたたみ脚のキャップの形状は、図５に示すように、テーブル用折りたたみ脚の本体２の下部にキャップ５が被せるようにして設けられたものである。
【考案の開示】
【考案が解決しようとする課題】
【０００３】しかしながら、以上の技術によれば、キャップが簡単に外れやすく、特にプラスティック製であることから、簡単な衝撃で破損し外れてしまうことが多かった。また、上からかぶせているだけなので少しの力で外すことができた。
そこで、この考案は、テーブル用折りたたみ脚から外れることのないキャップを提供することを課題とする。
【課題を解決するための手段】
【０００４】  以上の課題を解決するために、第一考案は、脚体とキャップの接合部に外れることを防止する突起体を設けたことを特徴とするテーブル用折りたたみ脚のキャップである。
また、第二考案は、キャップが脚体と外れないようにするための突起体を設け、この突起物はキャップ本体の上部に設けられたエラ状の突起体であることを特徴とするテーブル用折りたたみ脚のキャップである。
【考案の効果】
【０００５】  第一考案、または第二考案によれば、テーブル用折りたたみ脚のキャップに脚体から外れることを防止する突起体を設けたのでキャップが外れにくい。
【考案を実施するための最良の形態】
【０００６】  この考案の一実施形態を、図１に示す。
テーブル用脚はパイプ状のスチール製であり、テーブル脚用キャップはプラスティック製である。このテーブル脚２の下部、床設置面にキャップが設けられる。テーブル脚２が下部に向かっていくに従い細くなっていく形状を利用し、キャップ１のエラ状突起体３でテーブル脚とキャップを接合、固定する。【０００７】「実施形態の効果」
この実施形態によれば、エラ状の突起体３の働きで、一度取り付けると簡単には外れにくくなり、輸送中や使用途中での脱落、紛失などを防止できる。またキャップ本来の目的である床設置面のフローリングやカーペットの傷つき防止効果も安定する。【０００８】「他の実施形態」
図１の実施形態では、キャップが脚体から外れることを防止するのはエラ状の突起物３であるが、他の実施形態では、外れ止めは半円球や立方体などの突起体を単数および複数設けたものでも良い。
【図面の簡単な説明】
【０００９】
【図１】テーブル用折りたたみ脚のキャップをテーブル用脚に取り付けた状態の説明図である。
【図２】テーブル用折りたたみ脚のキャップの斜視図である。
【図３】テーブル用折りたたみ脚のキャップをテーブル用脚に取り付ける前の状態の説明図である。
【図４】テーブルとして機能している全体の斜視図である。
【符号の説明】
【００１０】１  テーブル用脚のキャップ本体
２  テーブル用脚
３  エラ状突起体
４  テーブルとして機能している状態
【手続補正３】
【補正対象書類名】図面
【補正対象項目名】全図
【補正方法】変更
【補正の内容】
【図１】
0003124954.tif 000009
【図２】
0003124954.tif 000010
【図３】
0003124954.tif 000011
【図４】
0003124954.tif 000012